(57)【要約】【課題】設置面が粗い場合であっても貼り付け後にタイル表面にがたつきが生じにくいモザイク状タイルを提供する。【解決手段】シート状の基材３０に多数のタイル材２０が並置されるモザイク状タイル１０であって、基材３０が設置面へ接着するための接着層３１と、該接着層３１とタイル材との間に介在されるクッション層３２とを有する。また、クッション層３２とタイル材３０との間に複数のタイル材２０を並置して貼着するための貼着層３３をさらに介在させてもよい。【選択図】図３
0003220211.tif 000002
【実用新案登録請求の範囲】
【請求項１】
シート状の基材に多数のタイル材が並置されるモザイク状タイルであって、前記基材が設置面へ接着するための接着層と、該接着層と前記タイル材との間に介在されるクッション層とを有することを特徴とするモザイク状タイル。
【請求項２】
前記クッション層と前記タイル材との間に複数の前記タイル材を並置して貼着するための貼着層がさらに介在されている請求項１に記載のモザイク状タイル。
【請求項３】
前記クッション層の厚みが１〜３ｍｍである請求項１または２に記載のモザイク状タイル。
【考案の詳細な説明】
【技術分野】
【０００１】
本考案は、床材や壁材として使用されるモザイク状タイルに関する。
【背景技術】
【０００２】
建築物の室内外における床材や壁材には、多数のタイル材を並置一体化したモザイク状タイルが広く使用されている。モザイク状タイルは、セラミック製の一般的なタイルピースの他、住宅の玄関ポーチ等において床材や壁材に天然石等の石材が好んで用いられることに対応して景観向上のために天然石等の石材をタイルピースとして構成する等、様々な外観のモザイク状タイルが流通している（例えば、特許文献１参照）。
【０００３】
この種のモザイク状タイルでは、例えばタイルの貼り替え等をする際に、貼り付ける予定の設置面に目地材や接着剤等の異物等があって表面が粗くなると、タイルを貼り付けた後にタイル表面にがたつきが生じて見栄えが悪くなることがある。そこで、タイル貼り前に、タオルやスポンジ等を用いて設置面が平滑になるように丁寧に磨く等の煩雑な清掃作業が必要であった。
【先行技術文献】
【特許文献】
【０００４】
【特許文献１】実登３０４２３６５号公報
【考案の概要】
【考案が解決しようとする課題】
【０００５】
本考案は、前記の点に鑑みなされたものであって、設置面が粗い場合であっても貼り付け後にタイル表面にがたつきが生じにくいモザイク状タイルを提供するものである。
【課題を解決するための手段】
【０００６】
すなわち、請求項１の考案は、シート状の基材に多数のタイル材が並置されるモザイク状タイルであって、前記基材が設置面へ接着するための接着層と、該接着層と前記タイル材との間に介在されるクッション層とを有することを特徴とするモザイク状タイルに係る。
【０００７】
請求項２の考案は、前記クッション層と前記タイル材との間に前記タイル材を並置して貼着するための貼着層がさらに介在されている請求項１に記載のモザイク状タイルに係る。
【０００８】
請求項３の考案は、前記クッション層の厚みが１〜３ｍｍである請求項１または２に記載のモザイク状タイルに係る。
【考案の効果】
【０００９】
請求項１の考案に係るモザイク状タイルによると、シート状の基材に多数のタイル材が並置されるモザイク状タイルであって、前記基材が設置面へ接着するための接着層と、該接着層と前記タイル材との間に介在されるクッション層とを有するため、設置面の清掃作業を簡略化できて、設置面が粗いままであっても適切なタイル貼りが可能である。
【００１０】
請求項２の考案に係るモザイク状タイルによると、請求項１の考案において、前記クッション層と前記タイル材との間に前記タイル材を並置して貼着するための貼着層がさらに介在されているため、複数のタイル材の貼着作業が簡便となる。
【００１１】
請求項３の考案に係るモザイク状タイルによると、請求項１または２の考案において、前記クッション層の厚みが１〜３ｍｍであるため、設置面の粗さや外力等によるタイル表面のがたつきを適切に抑制することができる。
【図面の簡単な説明】
【００１２】
【図１】本考案の一実施形態に係るモザイク状タイルの表面側の概略平面図である。
【図２】図１のモザイク状タイルの裏面側の概略平面図である。
【図３】モザイク状タイルの概略断面図である。
【考案を実施するための形態】
【００１３】
図１，２に示すモザイク状タイル１０は、シート状の基材３０に多数のタイル材２０が並置されたものである。このモザイク状タイル１０は、例えば、玄関ポーチ等の床材や壁材として好適に使用される。また、専門業者ではない人が自分自身で家具や壁等の自宅周り補修や改修等を行うＤＩＹ（ディーアイワイ：Ｄｏ  Ｉｔ  Ｙｏｕｒｓｅｌｆの略）用のタイルとしても使用でき、専門業者を介さずに安価かつ容易にタイル貼りの施工が可能である。
【００１４】
タイル材２０は、基材３０の表面に多数並置されて床面や壁面を構成する部材であって、四角形や六角形等の多角形状や円形状等の適宜の平面形状の小片部材からなる。タイル材２０は、セラミック、ガラス、木材、金属、貝殻、ゴムやポリ塩化ビニル（ＰＶＣ）等の熱可塑性樹脂、天然石や大理石等の石材等の適宜の材料で形成され、必要に応じて適宜の着色や模様加工等の装飾が施される。
【００１５】
複数のタイル材２０は、形状や色等を統一して全体的な統一感を創出してもよいし、異なる形状や色等で構成して斬新な外観を創出してもよい。また、異なる形状や色で構成して規則的な配列で並置することによって統一感を創出することも可能である。複数のタイル材２０の配列は、タイル材２０の形状や色等に対応して升目状やヘクス状等の適宜に並置される。その際、図１，図３（ａ）に示すように複数のタイル材２０，２０間に目地部２５を設けて配置してもよいし、図３（ｂ）に示すように目地部を設けずに複数のタイル材２０，２０を隣接配置してもよい。目地部２５には、施工時に目地材等が充填される。なお図示しないが、隣接配置された複数のタイル材を複数組構成して、それらを目地部で適宜に区画する等の組み合わせ配置も可能である。
【００１６】
本考案のモザイク状タイル１０は、図３（ａ）に示すように、シート状の基材３０が、モザイク状タイル１０が貼り付けられる予定の設置面へ接着するための接着層３１と、該接着層３１とタイル材２０との間に介在されるクッション層３２とを有する。
【００１７】
接着層３１は、基材３０の裏面（設置面側）に相当し、接着剤または接着シートで構成される。接着剤は特に限定されないが、アクリル系接着剤が耐熱性、耐溶剤性、耐久性に優れ、低温から高温まで優れた接着力が保持されるため好ましい。また、接着シートは公知のものが使用され、特に両面接着シートが好ましい。接着層３１を両面接着シートとすれば、後述のクッション層３２と容易に一体化させることができる。なお、接着層３１の接着面には、図示のように離型紙３５を貼着することが好ましい。離型紙３５は剥離可能なシート体であり、施工前に接着層３１を保護して接着力低下を防止することができるとともに、設置面以外の対象との不用意な接着を防止することができる。
【００１８】
クッション層３２は、ウレタンやゴム等の合成樹脂、スポンジ等の発泡体等の弾性変形可能な材料で構成される。特に、照射架橋ポリエチレン発泡体（ＩＸＰＥ発泡体）がこのましい。照射架橋ポリエチレン発泡体は、耐候性、耐溶剤性、耐寒性に優れ、無毒、無臭、無汚染であり、軽量で施工性にも優れており、防水、断熱、保温、緩衝、防振、防音、防湿、結露防止、防カビ防菌等の種々の機能を備える。
【００１９】
クッション層３２は、接着層３１とタイル材２０との間に介在されることにより、未清掃等の表面が粗い設置面にモザイク状タイル１０を貼り付けた場合に、設置面の凹凸を弾性的に吸収するように作用する。これにより、設置面に凹凸があっても貼り付け後のタイル表面にがたつきが発生しにくくなり、外観の悪化が抑制される。
【００２０】
クッション層３２の厚みは、設置面の凹凸によるタイル表面のがたつきを抑制可能であれば特に限定されないが、クッション層３２が薄すぎると微細な凹凸しか緩和することができず、厚すぎると設置面からタイル材２０が浮き上がりすぎて外力によりタイル表面ががたつきやすくなるおそれがある。そこで、クッション層３２の厚みは１〜３ｍｍ程度が好ましい。これにより、設置面の粗さや外力等によるタイル表面のがたつきを適切に抑制することができる。
【００２１】
また、本考案のモザイク状タイル１０では、図３（ｂ）に示す基材３０Ａのように、クッション層３２とタイル材２０との間にタイル材２０を並置して貼着するための貼着層３３をさらに介在させてもよい。貼着層３３は、基材３０Ａのタイル材２０側に設けられるため、複数のタイル材２０を基材３０Ａ表面に適宜並置するだけで容易に貼着させることが可能であり、タイル材２０の貼着作業が簡便となる。
【００２２】
貼着層３３は、接着剤または接着シートで構成される。接着剤は特に限定されないが、低温から高温まで優れた接着力を有して耐熱性、耐溶剤性、耐久性に優れるアクリル系接着剤が好ましい。また、接着シートは公知のものが使用され、特に両面接着シートが好ましい。貼着層３３を両面接着シートとすれば、クッション層３２と容易に一体化させることができる。
【００２３】
貼着層３３では、タイル材２０側の貼着面に離型紙（図示せず）を貼着してもよい。貼着層３３に離型紙が貼着されていることにより、タイル材２０と基材３０Ａとを分離した状態で保管することができる。この離型紙は施工時に剥がされるため、施工前の接着力低下や不用意な接着等が防止される。このように、タイル材２０と基材３０Ａとを分離して保管可能とすれば、例えば、タイル材２０と基材３０Ａとをモザイク状タイル１０の部品として販売したり、施工時に複数のタイル材２０を基材３０へ任意に貼着させたりすることが可能となる。そのため、利用者の好み等に応じた多様なデザインの配列を容易に創出することが可能であり、特にＤＩＹ用のタイルに好適である。
【００２４】
以上図示し説明したように、本考案のモザイク状タイルでは、接着層とタイル材との間に介在されたクッション層により、設置面の凹凸が弾性的に吸収されてタイル表面のがたつきの発生を抑制することができる。そのため、設置面を丁寧に磨いて平滑にする等の煩雑な作業を行わずに比較的大きい異物を除去する程度の従来よりも簡易な設置面の清掃作業であったり、場合によっては設置面の清掃作業自体を省略したりする等、設置面が粗いままであっても適切なタイル貼りが可能である。従って、設置面の清掃作業が簡略化されてタイル貼りの施工作業がより簡便となり、例えばＤＩＹ等のように専門業者ではない利用者にも取り扱いやすいモザイク状タイルを提供することができる。
【産業上の利用可能性】
【００２５】
本考案のモザイク状タイルは、設置面が粗いままでも簡便な施工作業で適切にタイル貼りすることができる。そのため、従来のモザイク状タイルの代替として有望であり、特に取り扱いが容易であるためＤＩＹ用のタイルに適している。
【符号の説明】
【００２６】
１０    モザイク状タイル
２０    タイル材
２５    目地部
３０，３０Ａ    基材
３１    接着層
３２    クッション層
３３    貼着層
３５    離型紙
【図１】
0003220211.tif 000003
【図２】
0003220211.tif 000004
【図３】
0003220211.tif 000005